(57)【要約】【課題】より簡単な構成で、振動による開口部からのカラーのずれを確実に防止できるステアリングホイールを提供する。【解決手段】ステアリングホイール本体11のボス芯金26とモジュール12のベースプレート65とのいずれか一方を貫通して開口部101をボス芯金26とベースプレート65との他方に向けて拡開状に設ける。ステアリングホイール本体11のボス芯金26とモジュール12のベースプレート65との他方に設けたユニット部34のカラー45を開口部101に嵌合する。開口部101に嵌合したカラー45に対して壁部102を当接させて、カラー45の軸方向に対して交差する方向の位置を規制する。より簡単な構成で、振動による開口部101からのカラー45のずれを確実に防止できる。【選択図】図１
2015131580.tif 000002
【特許請求の範囲】
【請求項１】
支持部を備えたハンドル本体と、
取付部材を備えたモジュールと、
前記取付部材を前記支持部に対向させた状態で前記モジュールを前記ハンドル本体に支持する支持手段とを具備し、
前記支持手段は、
前記支持部と前記取付部材とのいずれか一方を貫通して設けられ、前記支持部と前記取付部材との他方に向けて拡開する孔部と、
係合面を有しこの係合面と交差する方向に沿って前記孔部に対してこの孔部の拡開側から挿通されるフック、及び、このフックと別体で、前記孔部に嵌合されてこの孔部と前記フックとの間に介在されることで前記ハンドル本体と前記モジュールとの相対的な位置を設定する筒状の介在部材を備え、前記支持部と前記取付部材との他方に取り付けられた支持部材と、
前記孔部に挿通された前記フックの係合面に係合されてこのフックを保持する係合部材と、
前記孔部に嵌合された前記介在部材に当接してこの介在部材の軸方向に対して交差する方向の位置を規制する滑り防止部とを備えた
ことを特徴とするハンドル。
【請求項２】
滑り防止部は、孔部の外縁部からこの孔部に対するフックの挿通方向に対向して突設され介在部材の側面に当接する壁部である
ことを特徴とする請求項１記載のハンドル。
【請求項３】
滑り防止部は、孔部の内縁部にこの孔部に対するフックの挿通方向に沿って設けられ介在部材の側面に当接する内壁部である
ことを特徴とする請求項１記載のハンドル。
【発明の詳細な説明】
【技術分野】
【０００１】
本発明は、モジュールの取付部材をハンドル本体の支持部に対向させた状態でモジュールをハンドル本体に取り付けたハンドルに関する。
【背景技術】
【０００２】
従来、自動車のハンドルすなわちステアリングホイールとして、ステアリングホイール本体を構成する支持部であるボス部（ボス芯金）に、折り畳まれたエアバッグ及びこのエアバッグにガスを供給するインフレータなどを備えたエアバッグ装置などのモジュールを取り付けて構成されるものが知られている。
【０００３】
そして、このようなエアバッグ装置として、ボス部に設けた貫通孔の背面側に配置された係合部材であるスナップロックばね（ワイヤ）に対して、モジュール本体に取り付けた係合部であるフックを貫通孔に押し込んでスナップロックばねに引っ掛けることで、モジュール本体をボス部にワンタッチで取り付ける構成が知られている。この構成では、フックと貫通孔との間に、この貫通孔の内縁に嵌合される円筒状の樹脂部材が介在され、フックとボス部とを絶縁するとともに、ステアリングホイール本体とモジュールとの相対的な位置を設定している（例えば、特許文献１参照。）。
【先行技術文献】
【特許文献】
【０００４】
【特許文献１】特開２０１０−２０１９４９号公報  （第７−１８頁、図９）
【発明の概要】
【発明が解決しようとする課題】
【０００５】
上記のような構成の場合、例えばアイドリング時に伝わるエンジンの振動や、悪路を走行したときの衝撃により生じる振動などに対してスナップロックばねが撓み、樹脂部材が貫通孔からずれてモジュールがステアリングホイール本体に対して大きく動かないようにすることが望まれる。
【０００６】
この点、ステアリングホイール本体に対するモジュールの位置を規制するためのピンなどを設けることが考えられるものの、より構成を簡略化することが求められる。
【０００７】
本発明は、このような点に鑑みなされたもので、より簡単な構成で、振動による孔部からの介在部材のずれを確実に防止できるハンドルを提供することを目的とする。
【課題を解決するための手段】
【０００８】
請求項１記載のハンドルは、支持部を備えたハンドル本体と、取付部材を備えたモジュールと、前記取付部材を前記支持部に対向させた状態で前記モジュールを前記ハンドル本体に支持する支持手段とを具備し、前記支持手段は、前記支持部と前記取付部材とのいずれか一方を貫通して設けられ、前記支持部と前記取付部材との他方に向けて拡開する孔部と、係合面を有しこの係合面と交差する方向に沿って前記孔部に対してこの孔部の拡開側から挿通されるフック、及び、このフックと別体で、前記孔部に嵌合されてこの孔部と前記フックとの間に介在されることで前記ハンドル本体と前記モジュールとの相対的な位置を設定する筒状の介在部材を備え、前記支持部と前記取付部材との他方に取り付けられた支持部材と、前記孔部に挿通された前記フックの係合面に係合されてこのフックを保持する係合部材と、前記孔部に嵌合された前記介在部材に当接してこの介在部材の軸方向に対して交差する方向の位置を規制する滑り防止部とを備えたものである。
【０００９】
請求項２記載のハンドルは、請求項１記載のハンドルにおいて、滑り防止部は、孔部の外縁部からこの孔部に対するフックの挿通方向に対向して突設され介在部材の側面に当接する壁部であるものである。
【００１０】
請求項３記載のハンドルは、請求項１記載のハンドルにおいて、滑り防止部は、孔部の内縁部にこの孔部に対するフックの挿通方向に沿って設けられ介在部材の側面に当接する内壁部であるものである。
【発明の効果】
【００１１】
請求項１記載のハンドルによれば、ハンドル本体の支持部とモジュールの取付部材とのいずれか一方を貫通して支持部とモジュールの取付部材との他方に向けて拡開する孔部に対して、ハンドル本体の支持部とモジュールの取付部材との他方に設けた支持部材の介在部材を嵌合させ、この介在部材に対して滑り防止部を当接させて、介在部材の軸方向に対して交差する方向の位置を規制することで、より簡単な構成で、振動による孔部からの介在部材のずれを確実に防止できる。
【００１２】
請求項２記載のハンドルによれば、請求項１記載のハンドルの効果に加え、滑り防止部を、孔部の外縁部からこの孔部に対するフックの挿通方向に対向して突設した壁部として、この壁部を介在部材の側面に当接させることで、より簡単な構成で、振動による孔部からの介在部材のずれを、より確実に防止できる。
【００１３】
請求項３記載のハンドルによれば、請求項１記載のハンドルの効果に加え、滑り防止部を、孔部の内縁部にこの孔部に対するフックの挿通方向に沿って設けた内壁部として、この内壁部を介在部材の側面に当接させることで、より簡単な構成で、振動による孔部からの介在部材のずれを、より確実に防止できる。
【図面の簡単な説明】
【００１４】
【図１】本発明のハンドルの第１の実施の形態の一部を模式的に示す断面図である。
【図２】同上ハンドルの支持部材の分解斜視図である。
【図３】同上ハンドルの取付部材を示す平面図である。
【図４】同上ハンドルのモジュールの分解斜視図である。
【図５】同上ハンドルのハンドル本体の分解斜視図である。
【図６】同上ハンドルの正面図である。
【図７】同上ハンドルに対して所定の振動を入力したときの周波数と振幅量との関係を示すグラフである。
【図８】本発明のハンドルの第２の実施の形態の一部を模式的に示す断面図である。
【図９】本発明のハンドルの第３の実施の形態の一部を模式的に示す断面図である。
【発明を実施するための形態】
【００１５】
以下、本発明のハンドルの第１の実施の形態を図面を参照して説明する。
【００１６】
図１ないし図６において、10はハンドルとしてのステアリングホイールで、このステアリングホイール10は、自動車の運転席の乗員の前方に配置され、ハンドル本体としてのステアリングホイール本体11と、このステアリングホイール本体11の乗員側に装着されたモジュール12となどから構成されている。
【００１７】
なお、ステアリングホイール10は、通常傾斜した状態で備えられる図示しない操縦装置としてのステアリングシャフトに装着されるものであるが、以下、モジュール12側を乗員側、正面側あるいは後側、ステアリングシャフト側を車体側、背面側あるいは前側とし、このステアリングシャフトに沿った前後方向を軸方向とし、その他、このステアリングホイール10が備えられる車体の直進方向を基準として、前後方向及び上下方向などの方向を説明する。
【００１８】
ステアリングホイール本体11は、円環状をなすリム部（リング部）15と、このリム部15の内側に位置するボス部（マウント部）16と、これらリム部15とボス部16とを連結する複数、例えば本実施の形態では３本のスポーク部17とから構成されている。
【００１９】
そして、このステアリングホイール本体11は、金属製の芯金21と、この芯金21の一部を一体的に覆う軟質の被覆部22と、この芯金21の背面側を覆う被覆部材としてのカバー体となどを備えている。
【００２０】
芯金21は、リム部15、ボス部16及びスポーク部17に対応し、リム芯金25、支持部としてのボス芯金26、及び連結部としてのスポーク芯金27を備え、全体として略左右対称に形成されている。
【００２１】
ボス芯金26は、ボスプレート、あるいはハブコアなどとも呼ばれるもので、ステアリングシャフトに嵌着される円筒状のボス31を中央部に一体的に有し、両側部及び下部がそれぞれスポーク芯金27と連続している。また、このボス芯金26には、ボス31の外方で、かつ、各スポーク部17（各スポーク芯金27）に対応する位置、すなわち両側及び下側に、円孔状の取付開口33がそれぞれ開口されており、これら取付開口33に、支持部材としてのユニット部34がそれぞれ取り付けられている。さらに、このボス芯金26には、ホーンスイッチを構成する複数の固定接点36が設けられている。そして、このボス芯金26は、ボス31を金型に配置しマグネシウム合金などのインサート成形により、円環状のリム芯金25及び両側方向に放射状に配置されるスポーク芯金27と一体的に形成されている。
【００２２】
ユニット部34は、ワンタッチユニットとも呼ばれるもので、台座部41と、取付開口33に嵌着される筒状の装着部材42と、台座部41に支持される係合体であるフック43と、このフック43の周囲に配置された付勢部材としてのコイルばね44と、フック43の先端側の周囲に取り付けられた介在部材としてのカラー45とを備えている。
【００２３】
台座部41は、円形板状の基部47と、この基部47の中央部からこの基部47の厚さ方向に突出する円柱状の突出部48とを一体に備えている。そして、この突出部48の先端部が、段差状に縮径された挿入部48aとなっており、この挿入部48aがフック43に挿入されている。
【００２４】
装着部材42は、取付開口33の内縁部に外周面が当接する円筒状の装着部材本体51と、この装着部材本体51の両端部からフランジ状に突出してボス芯金26の正面及び背面にそれぞれ係止される抜止部52，53とを一体的に備えている。そして、この装着部材42は、台座部41の基部47とフック43とによって軸方向に挟持されている。
【００２５】
フック43は、モジュール12とステアリングホイール本体11とを着脱可能に係止するとともに、モジュール12をステアリングホイール本体11に対して正面背面方向に沿ってガイドするもので、例えば金属などにより柱状に形成されており、基端側をなす円筒状の取付受部55と、この取付受部55の先端から同軸状に突出する円柱状の接続部56と、この接続部56の先端部に段差状に拡開されたフック本体57とを一体に備えている。
【００２６】
取付受部55は、台座部41の挿入部48aが挿入接続される部分である。なお、この取付受部55と挿入部48aとの接続は、例えばねじ込みや圧入など、任意の方法を適用できる。
【００２７】
接続部56は、カラー45に挿通されている部分であり、取付受部55よりも縮径されている。
【００２８】
フック本体57は、接続部56の外周面から軸直方向に延びる係合面57aを基端部に備えている。また、このフック本体57は、先端側へと徐々に縮径される截頭円錐状に形成されている。
【００２９】
コイルばね44は、モジュール12をステアリングホイール本体11に対して正面側に付勢するためのものであり、装着部材42とカラー45との間に軸方向に支持され、フック43の周囲に離間されている。
【００３０】
カラー45は、モジュール12に一体的に固定されることで、ステアリングホイール本体11とモジュール12との相対的な位置を設定するものであり、例えば合成樹脂などの部材により一体成形され、フック43が内部に挿通される略円筒状の介在部材本体としてのカラー本体61と、このカラー本体61の基端側の外周面からフランジ状に突出する当接保持部62と、この当接保持部62からカラー本体61の先端部の外周面に向けてリブ状に形成された複数のリブ部63とを備えている。
【００３１】
当接保持部62は、円形板状に形成されており、カラー45中で最も径寸法が大きい位置である。この当接保持部62は、装着部材42の抜止部52との間でコイルばね44を支持している。また、この当接保持部62の外周面62aは、後述するモジュール12側に当接して保持される当接保持面となっている。
【００３２】
各リブ部63は、カラー本体61及び当接保持部62の周方向に略等角度（略等間隔）でそれぞれ配置しており、当接保持部62からカラー本体61の外周面へと、徐々に径方向への突出量が小さくなるように形成されている。すなわち、各リブ部63は、外側面63aが基端側から先端側へとカラー45（カラー本体61）の中心軸に徐々に接近するようにカラー45（カラー本体61）の軸方向に対して傾斜している。したがって、これらリブ部63によって、カラー45は、外周が基端側から先端側へと徐々に縮径されている。
【００３３】
固定接点36は、導電性を有する金属などの部材により形成されており、ボス芯金26の両側部及び下部にそれぞれ配置され、正面側に向けて突出している。
【００３４】
スポーク芯金27は、ボス芯金26の上側部の両側及び下部に形成され、ボス芯金26と連続する一端部から、リム芯金25と連続する他端部へと、正面方向に向けて徐々に突出するように縦壁状に屈曲されている。
【００３５】
一方、モジュール12は、本実施の形態では、収納体としての取付部材であるベースプレート65及び被覆体としてのエアバッグカバー66を備え折り畳まれたエアバッグ67を収納したケース68、このケース68に配置されたインフレータ69、及び、図示しないリテーナなどを備えたエアバッグ装置である。
【００３６】
ベースプレート65は、バックプレート、あるいはバックホルダなどとも呼ばれるもので、ホーン機構のホーンプレートを兼ねており、例えば合成樹脂にて一体に射出成形されている。そして、このベースプレート65は、ケース本体としての基板部71と、この基板部71の表面側の周縁部の全体に亘って正面側に立ち上げられた周壁部72とを備えている。
【００３７】
基板部71には、略中央部に円孔状のインフレータ取付孔74が開口されているとともに、このインフレータ取付孔74を囲んで４カ所の取付孔75がそれぞれ開口されている。また、基板部71には、モジュール12をステアリングホイール本体11に対して各ユニット部34を介して進退可能に取り付ける固定部76が背面側に突設されている。さらに、この基板部71には、可動接点77を設定する導電性の導電プレート78が一体的に取り付けられている。
【００３８】
固定部76は、基板部71の両側部に設けられた（第１及び第２の取付機構としての）側部固定部81，81と、基板部71の下側部に設けられた（第３の取付機構としての）下部固定部82とを備えている。そして、側部固定部81，81間、及び、下部固定部82には、それぞれ係合部材としてのワイヤ84，85が取り付けられている。
【００３９】
ここで、ワイヤ84，85は、それぞれワンタッチワイヤとも呼び得るもので、弾性変形可能な金属などの線材にて形成されている。
【００４０】
ワイヤ84は、互いに離間された腕部88，88と、腕部88，88の一端部間を直線状に連結する連結部である付勢部89とを一体に備えた略コ字状に形成され、これら腕部88，88と付勢部89とが連続する角部が、フック43の係合面57aと係合されてフック43に対して軸直方向に付勢力を与えるフック取付部であるフック係合部90となっている。
【００４１】
各腕部88は、ワイヤ84とフック43との係合を外す際に押し操作される操作部であり、例えば上下方向に沿って直線状に配置されている。
【００４２】
付勢部89は、各腕部88に対して交差（直交）する両側方向に直線状に延びており、各腕部88に対して、これら腕部88が互いに離反する方向へと付勢力を付与している。
【００４３】
フック係合部90は、各腕部88及び付勢部89に対してそれぞれ傾斜している。
【００４４】
また、ワイヤ85は、コイル状に巻回された付勢部94と、この付勢部94の一端部から接線方向に沿って直線状に延びる腕部95と、付勢部94の他端部から接線方向に沿って腕部95と交差（直交）する方向に直線状に延びる取付部96とを一体に備えた略Ｌ字状に形成されている。
【００４５】
付勢部94は、ベースプレート65の基板部71に保持される被保持部であり、腕部95と取付部96とに対して、これら腕部95と取付部96とが互いになす角度が略９０°となる方向へと付勢力を付与している。
【００４６】
腕部95は、例えば両側方向に沿って配置されている。この腕部95は、ワイヤ85とフック43との係合を外す際に押し操作される操作部となっているとともに、基端寄りの位置に、フック43の係合面57aと係合されてフック43に対して軸直方向に付勢力を与えるフック係合部98が設定されている。
【００４７】
取付部96は、下部固定部82に引っ掛けられて保持されている。
【００４８】
そして、各ワイヤ84，85は、腕部88，88，95を露出させた状態で各固定部81，81，82に保持されており、これら腕部88，88，95をベースプレート65（モジュール12）の外方から内方に向けて付勢力に抗して図示しないマイナスドライバなどの係合解除工具によって押し操作することで、フック係合部90，90，98とフック43との係合が解除可能となっている。
【００４９】
さらに、各固定部81，81，82には、ワイヤ84，85のフック係合部90，90，98が露出する円形状の孔部としての開口部101と、この開口部101の外縁部に連続してベースプレート65の基板部71から背面方向へと突出する滑り防止部としての壁部102とがそれぞれ設けられている。
【００５０】
各開口部101は、ユニット部34のフック43が後方から前方へと挿通されるとともにカラー45が嵌着されるもので、ベースプレート65の基板部71を厚さ方向である前後方向に貫通して設けられている。この開口部101は、カラー45の外側面63aと接触する内壁部101aが後方から前方へと、すなわちフック43の挿通方向に沿って徐々に縮径するように傾斜した截頭円錐面状（テーパ状）に形成されている。換言すれば、この開口部101は、ボス芯金26とベースプレート65との他方であるボス芯金26側に向けて拡開状となっている。また、各開口部101において、ワイヤ84，85のフック係合部90，90，98は、それぞれこれら開口部101の中心位置を通らないように配置されている。具体的に、側部固定部81，81の開口部101，101では、ワイヤ84のフック係合部90，90が、開口部101，101内の両側方向の中心側の下方に偏って、上側から下側へと外側方に傾斜して位置している。したがって、正面から見て、フック係合部90，90はハ字状に配置されている。また、下部固定部82の開口部101では、ワイヤ85のフック係合部98が開口部101の上方に偏って位置している。このため、各開口部101に挿通された各フック43が、各フック係合部90により、これらフック係合部90と交差（直交）する方向である上側外側方に向けて付勢され、フック係合部98により、このフック係合部98と交差（直交）する方向である下方に向けて付勢されるようになっている。
【００５１】
壁部102は、ユニット部34（カラー45）がその軸方向（フック43の軸方向）に対して交差（直交）する方向にずれないようにカラー45の周囲を保持するもので、開口部101の全周を囲む円筒状に形成されており、カラー45との当接面である内周面102aが開口部101の内壁部101aと連続している。この壁部102（内周面102a）は、開口部101の開口方向、すなわち、開口部101に対するフック43の挿通方向である前後方向に沿って軸方向を有するように形成されている。また、この壁部102の突出量は、カラー45の当接保持部62の厚みよりも大きく設定されている。さらに、これら壁部102の先端部には、内周面102aに連続して拡開状に形成された受け面102bが形成されている。この受け面102bは、フック43が開口部101に挿入される際にこのフック43を内周面102aへと案内するものである。
【００５２】
そして、これら固定部81，82を含む、開口部101、壁部102、ワイヤ84，85及びユニット部34により、モジュール12をステアリングホイール本体11に対してベースプレート65（基板部71）をボス芯金26に対向させた状態で支持する支持手段112が構成される。
【００５３】
各可動接点77は、ステアリングホイール本体11側に配置されたホーン機構の固定接点36と対向し、これら固定接点36とともにホーンスイッチを構成している。すなわち、可動接点77は、ベースプレート65の基板部71の両側部及び下部にそれぞれ位置している。
【００５４】
導電プレート78は、導電性の金属などによって板状に形成されている。なお、この導電プレート78は、基板部71に爪などによって固定されていてもよいし、ベースプレート65を成形する際にインサート成形されて可動接点77を除く部分が基板部71に埋め込まれていてもよい。
【００５５】
周壁部72は、折り畳まれた状態のエアバッグ67を囲むもので、エアバッグ67の突出方向に沿う方向に位置している。そして、この周壁部72の外部には、エアバッグカバー66を係合保持するための複数のフック部115及び複数の係止受部116がそれぞれ設けられている。
【００５６】
一方、エアバッグカバー66は、絶縁性を有する合成樹脂にて一体に形成され、ステアリングホイール10の一部の正面側を覆うカバー本体としての表板部118と、この表板部118の背面側である前面側から角筒状に下方へと突設された取付壁部としての取付板部119とを備えている。
【００５７】
表板部118の背面である前面には、取付板部119に囲まれた位置に、厚さ寸法の小さい溝状の図示しないテアラインが例えば正面視で略Ｈ字状に形成されており、エアバッグ67の膨張時にこのテアラインに沿って開裂して展開するように構成されている。
【００５８】
取付板部119は、ベースプレート65の周壁部72の外方に位置するもので、この周壁部72の外形に沿って形成されている。さらに、取付板部119には、ベースプレート65のフック部115がそれぞれ挿入係合される図示しない挿入開口部、及び、各係止受部116にそれぞれ係合される図示しない係止突起がそれぞれ設けられている。
【００５９】
エアバッグ67は、例えば、単数、あるいは複数の基布によって扁平な袋状に形成されているとともに、図示しないが、ベースプレート65の基板部71と同様に、円孔状のインフレータ取付孔と、このインフレータ取付孔を囲んで設けられた４カ所の取付孔とが形成されている。
【００６０】
インフレータ69は、円盤状のインフレータ本体部69aと、このインフレータ本体部69aから外周側に突設されたフランジ部69bとを備えている。また、インフレータ本体部69aには、フランジ部69bの正面側に位置して、ガス噴射口69cが設けられ、フランジ部69bには、取付孔69dが４カ所に設けられている。さらに、インフレータ本体部69aの底部には、図示しない接点部が設けられている。この接点部には、図示しないコネクタを介してワイヤハーネスが接続され、このワイヤハーネスを介してインフレータ69が制御装置と電気的に接続されている。
【００６１】
リテーナは、リング状をなし、金属板などにて形成されたリテーナ基部（図示せず）と、このリテーナ基部に固定された４本の取付ボルト121とを備えている。そして、リテーナ基部は、中央部に、円孔状のインフレータ取付孔が形成されている。また、取付ボルト121は、インフレータ取付孔を囲んで背面側に突設され、それぞれナット122が螺合されるようになっている。
【００６２】
そして、エアバッグ67の内側にリテーナを挿入し、このリテーナの取付ボルト121を取付孔から引き出した状態で、エアバッグ67を所定の形状に折り畳む。さらに、折り畳んだエアバッグ67にエアバッグカバー66を被せるとともに、このエアバッグカバー66の取付板部119の挿入開口部及び係止突起を、ベースプレート65の周壁部72のフック部115及び係止受部116に位置合わせしつつ、リテーナの取付ボルト121を取付孔75に挿入しながらベースプレート65側へと押し込むことで、フック部115が挿入開口部に挿入係止されるとともに、係止突起が係止受部116に挿入係止されて、エアバッグカバー66とベースプレート65とが互いにワンタッチで固定される（スナップイン）。
【００６３】
さらに、ベースプレート65の背面側に突出した取付ボルト121に取付孔69dを挿入しながら、ベースプレート65の背面側からインフレータ69を組み合わせ、取付ボルト121にナット122を螺合して締め付ける。この状態で、インフレータ69のガス噴射口69cを設けたインフレータ本体部69aの正面側の部分がインフレータ取付孔74からエアバッグ67の内側に挿入され、モジュール12が構成される。
【００６４】
一方、ステアリングホイール本体11には、ボス芯金26の各取付開口33に、予め組み立てたユニット部34をそれぞれ取り付けるとともに、カバー体を背面側から組み合わせ、カバー体を位置決めしつつステアリングホイール本体11に取り付ける。
【００６５】
ユニット部34は、このユニット部34の装着部材42を取付開口33の内縁部に嵌着することで、ボス芯金26に対してフック43及びカラー45が後方に突出し、カラー45と装着部材42との間にてフック43の外周にコイルばね44が保持された状態で取り付けられる。
【００６６】
そして、このステアリングホイール本体11のボス31をステアリングシャフトに嵌着し、図示しないナットで締め付け固定する。
【００６７】
モジュール12は、ステアリングホイール本体11に正面側から押し込むのみで、いわばワンタッチで取り付けられる。すなわち、モジュール12は、ステアリングホイール本体11に正面側から押し込むと、各開口部101に位置するワイヤ84，85のフック係合部90，90，98に各ユニット部34のフック43が係合し、両側及び下側の３カ所でモジュール12がステアリングホイール本体11に係合して抜け止め支持される。
【００６８】
より詳細には、モジュール12は、最前部、すなわちボス芯金26に対向する位置にあるベースプレート65に開口された各開口部101を、ボス芯金26に取り付けられたユニット部34のカラー45と位置合わせして押し込むと、カラー45が各開口部101の周囲に突出する壁部102の受け面102bによりガイドされて壁部102の内方から各開口部101へと押し込まれて、外側面63aが各開口部101の内壁部101aに当接するとともに、当接保持部62の外周面62aが壁部102の内周面102aに当接して、カラー45が開口部101及び壁部102内に嵌着される。また、カラー45から突出する各フック43は各開口部101にこれら開口部101の拡開側であるボス芯金26側から挿通され、これら開口部101の後方に位置するワイヤ84，85のフック係合部90，90，98を、その付勢力に抗してフック本体57がモジュール12を押し込む方向と交差（直交）する方向へと押圧して移動させる。そしてモジュール12を充分に押し込み、フック本体57がフック係合部90，90，98を通過すると、付勢部による付勢によってフック係合部90，90，98が復帰変形し、各フック43の接続部56の外周面側へと移動して各フック本体57の係合面57aに係合される。この結果、ワイヤ84，85のフック係合部90，90，98がフック43のフック本体57の係合面57aとモジュール12のベースプレート65（カラー45）との間に挟み込まれてモジュール12がステアリングホイール本体11に対して相対的に上下方向に位置規制されるとともに、各カラー45が各開口部101に挿入嵌着されることでモジュール12がステアリングホイール本体11に対して相対的に左右方向に位置規制される。そして、この状態で、各フック43は、フック係合部90，90，98によって正面方向へと確実に抜け止めされ、モジュール12がステアリングホイール本体11から不意に外れることが防止される。
【００６９】
また、この状態で、各フック43によりステアリングホイール本体11が正面背面方向に沿って案内される。
【００７０】
さらに、各ユニット部34では、各コイルばね44がステアリングホイール本体11（ボス芯金26）側に固定された装着部材42と、モジュール12（ベースプレート65）側に固定されたカラー45との間に支持され、これらコイルばね44の付勢力により、モジュール12の各可動接点77がステアリングホイール本体11の各固定接点36から離間した状態で支持される。
【００７１】
また、例えばインフレータ69の接点部などに電気的な配線を行うことにより、モジュール12を備えたステアリングホイール10がステアリングシャフトに取り付けられた状態で構成される。
【００７２】
そして、このように構成されたステアリングホイール10は、運転席の乗員がリム部15を把持して回動することにより、走行時の操作が行われる。また、乗員が押動部を兼ねたモジュール12のエアバッグカバー66を各コイルばね44の付勢力に抗して押動することにより、ステアリングホイール本体11（ボス芯金26）側に固定された各フック43に対して各カラー45がモジュール12と一体的に移動して、いずれかの可動接点77が固定接点36に接触すると、車体側のホーン装置が吹鳴される。
【００７３】
一方、車両の正面衝突などの際は、インフレータ69からエアバッグ67の内部にガスが急速に噴射されて、折り畳まれて収納されたエアバッグ67が急激に膨張する。すると、このエアバッグ67の膨張の圧力により、エアバッグカバー66がテアラインに沿って開裂してエアバッグ67の突出口が形成され、この突出口からエアバッグ67が突出して乗員の前方で膨張展開し、乗員を拘束して保護するようになっている。
【００７４】
そして、例えばアイドリング時のエンジンの振動や、悪路を走行したときの振動などがステアリングホイール本体11に伝わった場合でも、カラー45の外周面62aが壁部102の内周面102aに当接して保持されているので、各ユニット部34がフック43の軸方向と交差する方向、すなわち開口部101からずれる方向への移動が規制される。すなわち、ステアリングホイール本体11のボス芯金26とモジュール12のベースプレート65とのいずれか一方、本実施の形態ではモジュール12のベースプレート65を貫通してボス芯金26とベースプレート65との他方、本実施の形態ではボス芯金26に向けて拡開する開口部101に対して、ステアリングホイール本体11のボス芯金26とモジュール12のベースプレート65との他方、本実施の形態ではステアリングホイール本体11のボス芯金26に設けたユニット部34のカラー45を嵌合させ、この嵌合されたカラー45に対して壁部102を当接させて、カラー45の軸方向に対して交差する方向の位置を規制することで、ステアリングホイール本体11に対するモジュール12の位置を規制するためのピンなどを設ける構成と比較して、より簡単な構成で、振動による開口部101からのカラー45のずれを確実に防止できる。この結果、過剰に振動したモジュール12とステアリングホイール本体11との接触により生じる騒音の発生、及び、ステアリングホイール本体11に対するモジュール12の外れなどを、より確実に防止できる。
【００７５】
すなわち、各開口部101は、カラー45やフック43を挿入しやすいように、これらカラー45やフック43が挿入される側に拡開するテーパ状に形成されているため、これら開口部101に嵌合するカラー45の位置がずれやすい形状となっている。したがって、この開口部101の周囲に壁部102を突設することによって、カラー45やフック43の開口部101への挿入しやすさを維持しつつ、カラー45を開口部101に対して確実にずれ止めできる。
【００７６】
具体的に、上記のステアリングホイール10に対して、悪路走行を想定した２．１Ｇの振動を入力して試験評価した結果を図７に示す。この図７に示すように、本実施の形態に対応する実施例は、ステアリングホイールに対してモジュールをボルトによって固定した比較例と同様に、モジュール12の振幅量が抑制されている。
【００７７】
また、カラー45の開口部101からのずれを防止する滑り防止部として、開口部101の外縁部からこの開口部101に対するフック43の挿通方向に対向して突設した壁部102として、この壁部102をカラー45の側面（外周面62a）に当接させることで、ベースプレート65を成形する際の成形型を用いて壁部102（滑り防止部）を容易に形成できるので、より簡単な構成で、振動による開口部101からのカラー45のずれを、より確実に防止できる。
【００７８】
なお、上記の第１の実施の形態において、例えば図８に示す第２の実施の形態のように、取付開口33をベースプレート65に形成してユニット部34をモジュール12に取り付け、開口部101、壁部102及びワイヤ84，85をステアリングホイール本体11のボス芯金26に形成しても同様の作用効果を奏することができる。
【００７９】
また、壁部102は、カラー45の外周面62aと当接して滑りを防止すれば、開口部101の全周に連続する円筒状とする代わりに、開口部101の周縁部に部分的に形成したリブ状などとしてもよい。
【００８０】
さらに、上記の各実施の形態において、例えば図９に示す第３の実施の形態のように、壁部102に代えて、各開口部101の内壁部101aに連続して、これら開口部101に対するフック43の挿通方向である前後方向に沿ってカラー45の当接保持部62の外周面62aに当接する滑り防止部としての円筒面である内壁部125を形成することもできる。この場合にも、ベースプレート65またはボス芯金26を成形する際の成形型の開口部101の形状を変えるだけで内壁部125（滑り防止部）を容易に形成できるので、より簡単な構成で、振動による開口部101からのカラー45のずれを、より確実に防止できるなど、上記の各実施の形態と同様の作用効果を奏することができる。
【００８１】
そして、係合部材（ワイヤ）は、ステアリングホイール本体11及びモジュール12の左右両側部用の１本と、下部用の１本とで構成したが、例えば両側部用にそれぞれ１本ずつ配置するとともに下部用に１本配置した、３本の構成とすることもできる。
【００８２】
また、ステアリングホイール10は、３本のスポーク部17を備えた構成に限られず、例えば２本や４本のスポーク部17を備えた構成などにも適用できる。
【００８３】
さらに、モジュール12としては、エアバッグ装置に代えて、例えば衝撃吸収体を収納したパッド体などを用いることもできる。
【産業上の利用可能性】
【００８４】
本発明は、例えば自動車のステアリングホイールとして好適に用いることができる。
【符号の説明】
【００８５】
10    ハンドルとしてのステアリングホイール
11    ハンドル本体としてのステアリングホイール本体
12    モジュール
26    支持部としてのボス芯金
34    支持部材としてのユニット部
43    フック
45    介在部材としてのカラー
57a   係合面
65    取付部材であるベースプレート
84，85    係合部材としてのワイヤ
101   孔部としての開口部
102   滑り防止部としての壁部
112   支持手段
125   滑り防止部としての内壁部
【図１】
2015131580.tif 000003
【図２】
2015131580.tif 000004
【図３】
2015131580.tif 000005
【図４】
2015131580.tif 000006
【図５】
2015131580.tif 000007
【図６】
2015131580.tif 000008
【図７】
2015131580.tif 000009
【図８】
2015131580.tif 000010
【図９】
2015131580.tif 000011